(57)【要約】【課題】水熱源空調設備の水熱交換器を用いて水の加温を行うことで消費燃料の削減が可能な水加熱システム及びこれを用いた温浴施設、スポーツ施設を提供する。【解決手段】この水加熱システムは、水熱源空調設備の熱交換に温水槽へ供給する水もしくは前記温水槽の水を用いる。これにより、水熱源空調設備が冷房運転する際には、これらの水が加温され、その分、消費燃料の削減が可能となり、燃料コストの低減と省エネルギー化を図ることができる。また、この温浴施設、スポーツ施設は水熱源空調設備を冷房運転の期間が長い脱衣所や運動エリアの空調に用いる。これにより、水熱交換器による水の加温動作を長期間行うことができる。【選択図】図１
2020094699.tif 000002
【特許請求の範囲】
【請求項１】
温水を溜める温水槽と、
冷媒と水との水熱交換器を備えた水熱源空調設備と、
水を加熱して前記温水槽側へ供給する加熱部と、を有する水加熱システムにおいて、
冷房運転時の前記水熱交換器の熱交換により前記温水槽へ供給する水もしくは前記温水槽の水を加温することを特徴とする水加熱システム。
【請求項２】
上流側の低温槽と下流側の高温槽とを有し温水槽へ供給する水を貯留する受水槽をさらに備え、
加熱部は前記高温槽側から水を給水するとともに、
水熱交換器は前記高温槽の水との間で熱交換を行って前記高温槽の水を予熱し、前記受水槽に還流することを特徴とする請求項１記載の水加熱システム。
【請求項３】
高温槽の水温が所定の高温閾値以下の場合に水熱交換器で熱交換された水を前記高温槽に還流し、前記高温槽の水温が前記高温閾値を超えた場合に熱交換された水を低温槽に還流することを特徴とする請求項２記載の水加熱システム。
【請求項４】
高温槽の水温が所定の低温閾値以下となった場合に前記高温槽の水を排水する排水機構をさらに有することを特徴とする請求項２または請求項３に記載の水加熱システム。
【請求項５】
温水槽が浴槽もしくは貯湯槽である請求項２乃至請求項４のいずれかに記載の水加熱システムと、
利用者が着衣を脱ぎ着する脱衣所と、を備え、
水熱源空調設備が前記脱衣所の空調を行うことを特徴とする温浴施設。
【請求項６】
温水槽の水温が所定の高温閾値を超えた場合に水熱交換器で用いた水の熱交換を行う熱交換手段と、
前記水熱交換器で熱交換に用いる水の流路を前記温水槽側と前記熱交換手段側とで切り替える流路切替手段と、をさらに有し、
前記水熱交換器は前記温水槽の水温が前記高温閾値以下の場合に前記温水槽の水との間で熱交換を行って前記温水槽の水を加温し前記温水槽に還流することを特徴とする請求項１記載の水加熱システム。
【請求項７】
温水槽が温水プールである請求項６記載の水加熱システムと、
利用者が運動を行う運動エリアと、を備え、
水熱源空調設備が前記運動エリアの空調を行うことを特徴とするスポーツ施設。
【発明の詳細な説明】
【技術分野】
【０００１】
本発明は、水熱源空調設備の水熱交換器を用いて水の加温を行う水加熱システム及び、この水加熱システムを用いた温浴施設、スポーツ施設に関するものである。
【背景技術】
【０００２】
水を加熱して給湯需要等に供給する水加熱システム（給湯システム）は、家庭用の小型のものから宿泊施設や温浴施設、温水プール等に用いる大型のものまで様々なものが実用化されている。このような水加熱システム、特に温浴施設や温水プール等の多量の湯水を必要とする水加熱システムでは燃料消費も大きく、コスト面及び地球温暖化対策の観点から高効率化及び省エネルギー化が求められている。
【０００３】
また、比較的大規模な施設では、外気との熱交換により空調を行う従来の空調設備に替えて、地下水や河川等の水と熱交換を行う水熱源空調設備の使用が増加傾向にある。尚、この水熱源空調設備で熱交換に用いる地下水や河川の水は、外気温の影響を受けにくく年間を通して温度変化が少ない。このため、水熱源空調設備は従来の空調設備と比較して安定的で高効率な熱交換が可能となる。そして、このような水熱源空調設備に関し、例えば下記［特許文献１］には水熱源空調設備の小型化に関する発明が開示されている。
【先行技術文献】
【特許文献】
【０００４】
【特許文献１】特開平６−２０１２２３号公報
【発明の概要】
【発明が解決しようとする課題】
【０００５】
現在、水加熱システムの高効率化、省エネルギー化に対しては多くの研究開発が行われている。しかしながら、未だ改善の余地はあり、様々なアプローチからの更なる改善が望まれる。本発明は上記事情に鑑みてなされたものであり、水熱源空調設備の水熱交換器を用いて水の加温を行うことで消費燃料の削減が可能な水加熱システム及びこれを用いた温浴施設、スポーツ施設の提供を目的とする。
【課題を解決するための手段】
【０００６】
本発明は、
（１）温水を溜める温水槽１０と、冷媒と水との水熱交換器４２を備えた水熱源空調設備４０と、水を加熱して前記温水槽１０側へ供給する加熱部３２と、を有する水加熱システムにおいて、
冷房運転時の前記水熱交換器４２の熱交換により前記温水槽１０へ供給する水もしくは前記温水槽の水を加温することを特徴とする水加熱システム８０ａ、８０ｂを提供することにより、上記課題を解決する。
（２）上流側の低温槽３０ｂと下流側の高温槽３０ａとを有し温水槽１０へ供給する水を貯留する受水槽３０をさらに備え、
加熱部３２は前記高温槽３０ａ側から水を給水するとともに、
水熱交換器４２は前記高温槽３０ａの水との間で熱交換を行って前記高温槽３０ａの水を予熱し、前記受水槽３０に還流することを特徴とする上記（１）記載の水加熱システム８０ａを提供することにより、上記課題を解決する。
（３）高温槽３０ａの水温が所定の高温閾値以下の場合に水熱交換器４２で熱交換された水を前記高温槽３０ａに還流し、前記高温槽３０ａの水温が前記高温閾値を超えた場合に熱交換された水を低温槽３０ｂに還流することを特徴とする上記（２）記載の水加熱システム８０ａを提供することにより、上記課題を解決する。
（４）高温槽３０ａの水温が所定の低温閾値以下となった場合に前記高温槽３０ａの水を排水する排水機構（排水管２６、開閉弁２６ａ）をさらに有することを特徴とする上記（２）または（３）に記載の水加熱システム８０ａを提供することにより、上記課題を解決する。
（５）温水槽１０が浴槽もしくは貯湯槽である上記（２）乃至（４）のいずれかに記載の水加熱システム８０ａと、
利用者が着衣を脱ぎ着する脱衣所１２と、を備え、
水熱源空調設備４０が前記脱衣所１２の空調を行うことを特徴とする温浴施設１００を提供することにより、上記課題を解決する。
（６）温水槽１０の水温が所定の高温閾値を超えた場合に水熱交換器４２で用いた水の熱交換を行う熱交換手段６０と、
前記水熱交換器４２で熱交換に用いる水の流路を前記温水槽１０側と前記熱交換手段６０側とで切り替える流路切替手段（開閉弁５６ａ、６２ａ）と、をさらに有し、
前記水熱交換器４２は前記温水槽１０の水温が前記高温閾値以下の場合に前記温水槽１０の水との間で熱交換を行って前記温水槽１０の水を加温し前記温水槽１０に還流することを特徴とする上記（１）記載の水加熱システム８０ｂを提供することにより、上記課題を解決する。
（７）温水槽１０が温水プールである上記（６）記載の水加熱システム８０ｂと、
利用者が運動を行う運動エリア１３と、を備え、
水熱源空調設備４０が前記運動エリア１３の空調を行うことを特徴とするスポーツ施設１１０を提供することにより、上記課題を解決する。
【発明の効果】
【０００７】
本発明に係る水加熱システム及びこれを用いた温浴施設、スポーツ施設は、水熱源空調設備の熱交換に温水槽へ供給する水もしくは温水槽の水を用いる。これにより、水熱源空調設備が冷房運転する際には、これらの水が加温され、その分、消費燃料の削減が可能となり、燃料コストの低減と省エネルギー化を図ることができる。
特に、水加熱システムが低温槽と高温槽とを備えた受水槽を有する構成では、高温槽内の水の温度が予め設定されている高温閾値を超えた場合に、熱交換した水を低温槽内に還流する。これにより、高温槽内の水の温度の過度の上昇を抑えて水熱交換器における熱交換効率の低下を抑制するとともに、低温槽内の水を予熱して水熱交換器での排熱を余すことなく利用することができる。また、水熱源空調設備が暖房運転して高温槽内の水の温度が低温閾値以下となった場合、排水機構を動作させ高温槽内の水を槽外に排出する。これにより、加熱部の負荷の増大は防止されるとともに、水熱交換器における熱交換効率の低下を抑制することができる。
また、本発明に係る温浴施設、スポーツ施設では水熱源空調設備を冷房運転の期間が長い脱衣所や運動エリアの空調に用いる。これにより、水熱交換器による水の加温動作を長期間行うことができる。
【図面の簡単な説明】
【０００８】
【図１】本発明に係る第１の形態の水加熱システムを用いた温浴施設の概略構成図である。
【図２】本発明に係る第２の形態の水加熱システムを用いたスポーツ施設の概略構成図である。
【発明を実施するための形態】
【０００９】
本発明に係る水加熱システム及び温浴施設、スポーツ施設について図面に基づいて説明する。尚、ここでは本発明に係る水加熱システム８０ａ、８０ｂを、これを備えた温浴施設１００、スポーツ施設１１０を用いて説明を行うが、本発明に係る水加熱システム８０ａ、８０ｂはこれらの施設に限定されるものではなく、水熱源空調設備を備えた如何なる施設の水加熱システム８０ａ、８０ｂに対しても適用が可能である。
【００１０】
ここで、図１は本発明に係る第１の形態の水加熱システム８０ａを温浴施設１００に適用した例を示す図である。また、図２は本発明に係る第２の形態の水加熱システム８０ｂをスポーツ施設１１０に適用した例を示す図である。先ず、本発明に係る第１の形態、第２の形態の水加熱システム８０ａ、８０ｂは、両者に共通する構成として、温水を溜める温水槽１０と、冷媒と水との水熱交換器４２を備えた水熱源空調設備４０と、水を加熱して温水槽１０側へ供給する加熱部３２と、を有している。
【００１１】
そして、水熱源空調設備４０は、冷媒を圧縮して高温高圧のガス冷媒とする圧縮機４４と、前述の水熱交換器４２と、冷媒を減圧する膨張弁等の周知の減圧器４８と、室内の空気と冷媒との間で熱交換を行って空調を行う室内機４６と、冷媒の流路を切り替える四方弁（図示せず）等の周知の部材と、を有している。また、加熱部３２としてはボイラ等の周知の加熱手段を用いることができる。
【００１２】
そして、温浴施設１００に好適な第１の形態の水加熱システム８０ａは、図１に示すように、上記の構成に加え水源１からの水を貯留する受水槽３０を更に有している。尚、第１の形態の水加熱システム８０ａにおける温水槽１０としては利用者が入浴する浴槽や所定の温度の湯が溜められる貯湯槽となる。そして、第１の形態の水加熱システム８０ａの受水槽３０は上流側、即ち水源１側の低温槽３０ｂと、下流側、即ち温水槽１０側の高温槽３０ａとを有しており、これら高温槽３０ａと低温槽３０ｂとは連通孔３０ｃにより互いに連通している。従って、高温槽３０ａ側の水が減少すると、その分だけ低温槽３０ｂ側の水が高温槽３０ａ内に流入し両者の水位は略同等に維持される。
【００１３】
また、低温槽３０ｂには水源１から延びた給水配管３が接続し、水源１の水を低温槽３０ｂに適宜補水する。尚、水源１としては水道水を用いても良いが、水温が年間を通じて大きく変化しない井水（地下水）を用いることが最も好ましい。そして、水源１に井水を用いる場合には、給水配管３には井水ポンプ５が接続され、水源１（井戸）の水を随時汲み上げて低温槽３０ｂに補水する。また、低温槽３０ｂには加温を必要としないトイレ等の水需要に槽内の水を供給する供給配管７を設けても良い。
【００１４】
また、高温槽３０ａには槽内の水を加熱部３２側に送る加熱配管３４と、水熱交換器４２側に送る予熱配管２０とが接続し、加熱配管３４と予熱配管２０にはそれぞれ送水ポンプ３４ａ及び２２が接続している。また、予熱配管２０は水熱交換器４２の下流側で２つの還流配管２０ａ、２０ｂに分岐して、これら還流配管２０ａ、２０ｂはそれぞれ高温槽３０ａと低温槽３０ｂとに接続する。また、還流配管２０ａ、２０ｂには開閉弁２４ａ、２４ｂや３方弁等の流路切替手段が設けられ、この流路切替手段によって水熱交換器４２からの水の流路を高温槽３０ａ側と低温槽３０ｂ側とで切り替えることができる。また、高温槽３０ａには槽内の水の温度を取得する水温計等の周知の温度取得手段２３が設置される。さらに、高温槽３０ａには槽内の水を排出する排水管２６と、この排水管２６を開閉する開閉弁２６ａ等の排水機構を備えている。尚、この排水機構は高温槽３０ａに直接接続しても良いし、加熱配管３４の上流側に設けても良い。
【００１５】
また、本発明に係る温浴施設１００は、上記の第１の形態の水加熱システム８０ａと、利用者が着衣を脱ぎ着する脱衣所１２と、を有している。そして、本発明に係る温浴施設１００では、少なくとも脱衣所１２の空調を水熱源空調設備４０の室内機４６で行う。ここで、一般的な温浴施設１００の脱衣所１２には浴室からの熱が流入することに加え、湯上りの利用者が体を冷却する観点から冷房運転の期間が通常の室内空調よりも長い。そして、本発明に係る水加熱システム８０ａは水熱源空調設備４０が冷房運転する際に高温槽３０ａの水を予熱するから、冷房運転の期間が長い脱衣所１２の空調に水熱源空調設備４０を用いることで、室内空調よりも長期間、予熱動作を行うことができる。
【００１６】
次に、本発明に係る第１の形態の水加熱システム８０ａ及びこれを用いた温浴施設１００の動作を説明する。先ず、水源１が井戸の場合、井水ポンプ５を動作させ井戸水を低温槽３０ｂに供給する。低温槽３０ｂに供給された水は連通孔３０ｃを通して高温槽３０ａにも流入し、受水槽３０は所定の水位となる。尚、水源１が井戸の場合、供給される水温は年間を通して大きく変動せず、概ね１５℃〜２０℃の範囲にある。
【００１７】
また、高温槽３０ａ内の水の温度は温度取得手段２３が取得して図示しない制御部に出力する。制御部は温度取得手段２３からの水温を受けて、高温槽３０ａ内の水の温度が予め設定されている例えば４５℃等の高温閾値以下の場合には、流路切替手段である開閉弁２４ａを開状態とし、開閉弁２４ｂを閉状態とし、その流路を還流配管２０ａ側とする。
【００１８】
次に、水熱源空調設備４０が冷房運転すると、圧縮機４４が冷媒を圧縮して高温高圧のガス冷媒とし水熱交換器４２に送出する。また、これと前後して送水ポンプ２２が動作して高温槽３０ａ内の水を予熱配管２０を通して水熱交換器４２に送出する。そして、水熱交換器４２において予熱配管２０内の水とガス冷媒とが熱交換して、予熱配管２０内の水は加温される。また、ガス冷媒は冷却して凝縮し液冷媒となる。この凝縮した液冷媒は減圧器４８で減圧され一部気化した気液二相冷媒となる。そして、この気液二相冷媒は室内機４６に送出され、本発明に係る温浴施設１００では脱衣所１２の空気と熱交換して気化する。この熱交換により冷却した空気は脱衣所１２内に送出され、これにより脱衣所１２内の冷房が行われる。また、室内機４６で気化したガス冷媒は圧縮機４４に還流して、再度圧縮吐出される。また、水熱交換器４２での熱交換により加温された水は還流配管２０ａを通って高温槽３０ａに還流する。これにより、高温槽３０ａ内の水の温度は上昇し、高温槽３０ａ内の水に対する予熱が行われる。
【００１９】
また、温水槽１０側にて湯水が使用され減少すると、送水ポンプ３４ａが動作して高温槽３０ａ内の水を加熱配管３４を通して加熱部３２に送出する。そして、加熱部３２において予め設定された例えば６０℃の温度に加温され、温水槽１０（浴槽もしくは貯湯槽等）に送出される。尚、使用された高温槽３０ａ内の水の減少分は、低温槽３０ｂから連通孔３０ｃを介して補水される。
【００２０】
また、温水槽１０における湯水の使用量に対して水熱交換器４２による予熱能力が大きく、高温槽３０ａ内の水の温度が高温閾値を超えて上昇した場合、制御部はこれを温度取得手段２３を介して検知して流路切替手段としての開閉弁２４ａを閉状態とし、開閉弁２４ｂを開状態とする。これにより、水の流路は還流配管２０ｂ側に切り替わり、水熱交換器４２で加温された水は低温槽３０ｂ内に還流して低温槽３０ｂ内の水を予熱するとともに、低温槽３０ｂ内の水が高温槽３０ａ側に流入して高温槽３０ａ内の水の温度を下げ過度の温度上昇を抑制する。これにより、水熱交換器４２における熱交換効率の低下を防止するとともに、低温槽３０ｂ内の水が予熱されることで水熱交換器４２での排熱を余すことなく利用することができる。
【００２１】
次に、水熱源空調設備４０が暖房運転した場合、圧縮機４４で圧縮された高温高圧のガス冷媒は室内機４６に送出される。そして、本発明に係る温浴施設１００では脱衣所１２の空気と熱交換し、脱衣所１２の空気を加温する。この加温された空気は脱衣所１２内に送出され、これにより脱衣所１２内の暖房が行われる。また、この熱交換によりガス冷媒は冷却して凝縮し液冷媒となる。この液冷媒は減圧器４８で減圧され一部気化した気液二相冷媒となる。そして、この気液二相冷媒は水熱交換器４２において予熱配管２０内の水と熱交換して気化する。そして、水熱交換器４２で気化したガス冷媒は圧縮機４４に還流して、再度圧縮吐出される。
【００２２】
また、この水熱交換器４２における暖房運転時の熱交換により予熱配管２０内の水の温度は低下する。そして、この水は還流配管２０ａを通して高温槽３０ａに還流し、これにより高温槽３０ａ内の水の温度は低下する。これは、加熱部３２の負荷を増大する方向に働く。従って、本発明に係る水加熱システム８０ａでは、高温槽３０ａ内の水の温度が低下して予め設定された低温閾値以下となった場合、制御部がこれを温度取得手段２３を介して検知して排水機構としての開閉弁２６ａを開状態とし高温槽３０ａ内の水を排水管２６を通して槽外に排出する。これにより、高温槽３０ａ内には連通孔３０ｃを通して低温槽３０ｂから水が流入し補水される。これにより、高温槽３０ａ内の水の温度は低温槽３０ｂの水の温度にまで上昇し、加熱部３２の負荷の増大を防止するとともに、水熱交換器４２における熱交換効率の低下を抑制する。尚、水源１として井水を用いる場合には高温槽３０ａ内の水を排水しても補水コストは小さく、この排水により運転コストが大きく増大することは無い。
【００２３】
次に、本発明に係る第２の形態の水加熱システム８０ｂを図２を用いて説明する。尚、図２では運動エリア１３と温水槽１０としての温水プールを備えたスポーツ施設１１０を例に説明を行うが、第２の形態の水加熱システム８０ｂはこれに限定されるわけではなく、運動エリア１３を備えていない温水プールや循環型の温浴施設等に適用しても良い。この場合、水熱源空調設備４０は更衣室や脱衣所、その他の空調を行う。
【００２４】
図２に示す第２の形態の水加熱システム８０ｂは、温水プールとしての温水槽１０と、水熱源空調設備４０と、加熱部３２と、を有している。そして、温水プールとしての温水槽１０には循環配管５０が接続する。また、循環配管５０には、この循環配管５０内に温水槽１０内の湯水を流下させる送水ポンプ５０ａと、温水槽１０内の湯水の温度を取得する温度取得手段５１と、フィルタやろ過装置、殺菌装置等の浄水部５２と、循環配管５０と水熱交換器４２とを繋ぐ加温配管５６と、前述の加熱部３２と、が接続する。また、循環配管５０は加温配管５６の両端を繋ぐバイパス管５８と、このバイパス管５８を開閉する開閉弁５８ａと、を有している。さらに、循環配管５０には温水槽１０内の湯水を排水する排水管（図示せず）と、水道水を含む水源の水を適宜温水槽１０に補水する給水配管（図示せず）と、を有していても良い。
【００２５】
また、第２の形態の水加熱システム８０ｂは、クーリングタワー等の周知の熱交換手段６０を備えるとともに、加温配管５６から分岐して熱交換手段６０に接続する熱交換配管６２と、この加温配管５６もしくは熱交換配管６２内に水を流下させる送水ポンプ５７と、加温配管５６及び熱交換配管６２にそれぞれ設けられた流路切替手段としての開閉弁５６ａ、６２ａと、を有している。尚、流路切替手段は水熱交換器４２での熱交換に用いる水の流路を温水槽１０側（加温配管５６側）と熱交換手段６０側（熱交換配管６２側）とで切り替えるものであり、この動作が可能であれば３方弁等の周知の部材を用いても良い。
【００２６】
また、本発明に係るスポーツ施設１１０は、上記の第２の形態の水加熱システム８０ｂと、トレーニングジムやエアロビクススタジオ等の運動エリア１３と、を有している。そして、本発明に係るスポーツ施設１１０では、少なくとも運動エリア１３の空調を水熱源空調設備４０の室内機４６で行う。ここで、運動エリア１３では運動中の利用者の体を冷却する観点から冷房運転の期間が通常の室内空調よりも長い。そして、本発明に係る第２の形態の水加熱システム８０ｂは水熱源空調設備４０が冷房運転する際に温水槽１０（温水プール）の水を加温するから、冷房運転の期間が長い運動エリア１３の空調に水熱源空調設備４０を用いることで、室内空調よりも長期間、加温動作を行うことができる。
【００２７】
次に、本発明に係る第２の形態の水加熱システム８０ｂ及びこれを用いたスポーツ施設１１０の動作を説明する。先ず、温水プールとしての温水槽１０には所定の温度に加温された湯水が所定量貯留されている。また、このとき水加熱システム８０ｂの送水ポンプ５０ａが動作して温水槽１０内の水を循環配管５０内に圧送する。循環配管５０内に圧送された温水槽１０内の水は、浄水部５２において毛髪やゴミ等の夾雑物が除去されるとともに所定の殺菌処理等が施される。また、温度取得手段５１は循環配管５０内に供給される水の温度を取得して温水槽１０内の水の温度として図示しない制御部に出力する。制御部は温度取得手段５１からの水温を受けて、温水槽１０内の水の温度が予め設定されている例えば３０℃等の高温閾値以下で且つ水熱源空調設備４０が冷房運転の場合に、開閉弁５８ａを閉じてバイパス管５８を閉塞するとともに、流路切替手段としての開閉弁５６ａを開状態とし、開閉弁６２ａを閉状態とする。これにより、浄水部５２を通過した水は加温配管５６側を流下する。
【００２８】
また、水熱源空調設備４０が冷房運転すると、圧縮機４４が冷媒を圧縮して高温高圧のガス冷媒とし水熱交換器４２に送出する。また、前述のように循環配管５０内の水は加温配管５６を流下し水熱交換器４２に送出される。そして、水熱交換器４２において加温配管５６内の水とガス冷媒とが熱交換して、加温配管５６内の水は加温される。また、ガス冷媒は冷却して凝縮し液冷媒となる。この凝縮した液冷媒は減圧器４８で減圧され一部気化した気液二相冷媒となる。そして、この気液二相冷媒は室内機４６に送出され、本発明に係るスポーツ施設１１０では運動エリア１３の空気と熱交換して気化する。この熱交換により冷却した空気は運動エリア１３内に送出され、これにより運動エリア１３内の冷房が行われる。また、室内機４６で気化したガス冷媒は圧縮機４４に還流して、再度圧縮吐出される。また、水熱交換器４２での熱交換により加温された水は温水槽１０に還流する。これにより、温水槽１０としての温水プールの水に対する加温が行われる。
【００２９】
また、夏季等において温水槽１０内の水の温度が高温閾値を超えた場合、制御部はこれを温度取得手段５１を介して検知して流路切替手段としての開閉弁５６ａを閉状態にするとともに、開閉弁５８ａを開いてバイパス管５８を開状態とする。また、流路切替手段としての開閉弁６２ａを開状態にするとともに、送水ポンプ５７を動作させる。これにより、循環配管５０内の水はバイパス管５８を流下して加温配管５６を経ずに温水槽１０に還流する。また、水熱交換器４２で熱交換に用いられた水は送水ポンプ５７によって熱交換手段６０に送られて冷却された後、再度、水熱交換器４２での冷媒との熱交換に用いられる。これにより、温水槽１０と水熱交換器４２とは分離され、温水槽１０に対する加温は停止する。
【００３０】
尚、水熱源空調設備４０が暖房運転する際にも制御部は前述と同様、流路切替手段としての開閉弁５６ａを閉状態にするとともに、開閉弁５８ａを開いてバイパス管５８を開状態とする。また、流路切替手段としての開閉弁６２ａを開状態にするとともに、送水ポンプ５７を動作させる。これにより、温水槽１０と水熱交換器４２とは分離され、暖房運転時の水熱交換器４２によって冷却した水は熱交換手段６０にて温められ、再度水熱交換器４２にて冷媒との熱交換に用いられる。
【００３１】
さらに、水熱源空調設備４０の暖房運転時や温水槽１０内の水の温度が水熱交換器４２の熱交換による加温のみでは所定の低温閾値に満たない場合、制御部は温度取得手段５１を介してこれを検知して加熱部３２を動作させる。これにより、循環配管５０の水は加熱部３２によって加熱され、これにより温水槽１０内の水は予め設定された温度範囲に維持される。
【００３２】
尚、第１の形態及び第２の形態の水加熱システム８０ａ、８０ｂを備えた施設がコージェネレーション発電設備等を有している場合には、この排熱も高温槽３０ａもしくは温水槽１０の水の加温に用いるようにしても良い。また、加熱部３２の余熱を高温槽３０ａもしくは温水槽１０の水の加温にカスケード的に用いるようにしても良い。さらに、施設が冷凍冷蔵設備等を有している場合には、これらの排熱も高温槽３０ａもしくは温水槽１０の水の加温に用いるようにしても良い。
【００３３】
以上のように、本発明に係る第１の形態の水加熱システム８０ａ及びこれを用いた温浴施設１００は、水熱源空調設備４０の熱交換に受水槽３０に貯留されている水を用いる。これにより、水熱源空調設備４０が冷房運転する際には、水熱交換器４２での熱交換により受水槽３０の水が予熱され、後段の加熱部３２の負荷を軽減することができる。これにより、消費燃料の削減が可能となり、燃料コストの低減と省エネルギー化を図ることができる。
【００３４】
また、本発明に係る第１の形態の水加熱システム８０ａ及び温浴施設１００は、受水槽３０を高温槽３０ａと低温槽３０ｂとに分け、通常状態では温水槽１０側の高温槽３０ａの水を熱交換に用いて高温槽３０ａ内の水を予熱する。ただし、高温槽３０ａ内の水の温度が予め設定されている高温閾値を超えた場合には、熱交換した水を低温槽３０ｂ内に還流する。これにより、高温槽３０ａ内の水の温度の過度の上昇を抑えて水熱交換器４２における熱交換効率の低下を抑制するとともに、低温槽３０ｂ内の水を予熱して水熱交換器４２での排熱を余すことなく利用することができる。
【００３５】
さらに、本発明に係る第１の形態の水加熱システム８０ａ及び温浴施設１００は、水熱源空調設備４０が暖房運転して高温槽３０ａ内の水の温度が低温閾値以下となった場合、排水機構を動作させ高温槽３０ａ内の水を槽外に排出する。これにより、高温槽３０ａ内の水の温度は低温槽３０ｂの水の温度にまで上昇し、加熱部３２の負荷の増大を防止するとともに、水熱交換器４２における熱交換効率の低下を抑制することができる。
【００３６】
また、本発明に係る第２の形態の水加熱システム８０ｂ及びこれを用いたスポーツ施設１１０は、水熱源空調設備４０の熱交換に温水槽１０（温水プール）の水を用いる。これにより、水熱源空調設備４０が冷房運転する際には、水熱交換器４２での熱交換により温水槽１０の水が加温される。これにより、消費燃料の削減が可能となり、燃料コストの低減と省エネルギー化を図ることができる。また、本発明に係る第２の形態の水加熱システム８０ｂ及びスポーツ施設１１０は、温水槽１０内の水の温度が高温閾値を超えて上昇した場合、もしくは暖房運転する場合は水熱交換器４２で熱交換に用いる水の流路を熱交換手段６０側に切り替える。これにより、温水槽１０と水熱交換器４２とは分離され、温水槽１０に対する加温は停止するとともに、水熱源空調設備４０の熱交換は水熱交換器４２と熱交換手段６０との間で行われる。
【００３７】
またさらに、本発明に係る温浴施設１００、スポーツ施設１１０では水熱源空調設備４０の室内機４６を冷房運転の期間が長い脱衣所１２や運動エリア１３の空調に用いる。これにより、水熱交換器４２による加温動作を長期間行うことができる。
【００３８】
尚、本例で示した水加熱システム８０ａ、８０ｂ、温浴施設１００、スポーツ施設１１０の各部の構成、機構、形状、寸法、動作、配管経路等は一例であるから、特に本例に限定される訳ではなく、本発明は本発明の要旨を逸脱しない範囲で変更して実施することが可能である。
【符号の説明】
【００３９】
１０    温水槽
１２    脱衣所
１３    運動エリア
３０    受水槽
３０ａ  高温槽
３０ｂ  低温槽
３２    加熱部
４０    水熱源空調設備
４２    水熱交換器
６０    熱交換手段
８０ａ、８０ｂ  水加熱システム
１００  温浴施設
１１０  スポーツ施設
【図１】
2020094699.tif 000003
【図２】
2020094699.tif 000004